(57)【特許請求の範囲】
【請求項１】
受話器へ耳を押しつける際の圧力を測定する圧力センサと、前記受話器から耳を遠ざけた際の前記受話器と耳間の距離を計測するための距離センサと、前記圧力センサが計測した圧力データと前記距離センサが計測した距離データとに基づき前記受話器の受話音量を制御する音量制御手段とからなり、
前記圧力センサが、予め設定した当該圧力センサの初期値以上の圧力を検出した時、前記音量制御手段は、前記圧力センサが計測した圧力と前記初期値との差が大きくなると、音量が大きくなるように前記受話音量を制御し、前記距離センサが、予め設定した当該距離センサの初期値以上の距離を検出した時、前記音量制御手段は、前記距離センサが計測した距離と前記距離センサの初期値との差が大きくなると、音量が小さくなるように前記受話音量を制御することを特徴とする電話機の自動音量調整装置。
【請求項２】
前記距離センサが計測した距離と前記距離センサの初期値との差に応じて、前記受話器の周波数特性を制御する周波数特性制御手段を設けたことを特徴とする請求項１記載の電話機の自動音量調整装置。
【請求項３】
前記圧力センサの初期値及び前記距離センサの初期値を、それぞれ設定するための初期値設定手段が設けられていることを特徴とする請求項１又は２記載の電話機の自動音量調整装置。
【発明の詳細な説明】
【０００１】
【発明の属する技術分野】
本発明は、電話機の自動音量調整装置に係わり、特に、自動的に受話音量を制御するようにした電話機の自動音量調整装置に関する。
【０００２】
【従来の技術】
携帯電話機を使用している時にどうしても騒音環境下での使用は避けられない。そこで、従来の携帯電話機には、音量を調整する機能が設けられている。しかし、通話中に音量調整することは煩わしく、しばしばボタンの押し間違え等があり、通話を中断しなければならないような欠点があった。
【０００３】
【発明が解決しようとする課題】
本発明の目的は、上記した従来技術の欠点を改良し、特に、受話部に圧力センサと距離センサとを設け、受話音量が大きい場合は、受話部を遠ざけてしまう、また、受話音量が小さい場合は、受話部を耳に押し当てようとするという人間の自然な動作に応じて、受話器の音量を自動的に制御し、以て、快適な通話を可能にする新規な電話機の自動音量調整装置を提供するものである。
【０００４】
【課題を解決するための手段】
本発明は上記した目的を達成するため、基本的には、以下に記載されたような技術構成を採用するものである。
【０００５】
即ち、本発明に係わる電話機の自動音量調整装置の第１態様は、
受話器へ耳を押しつける際の圧力を測定する圧力センサと、前記受話器から耳を遠ざけた際の前記受話器と耳間の距離を計測するための距離センサと、前記圧力センサが計測した圧力データと前記距離センサが計測した距離データとに基づき前記受話器の受話音量を制御する音量制御手段とからなり、
前記圧力センサが、予め設定した当該圧力センサの初期値以上の圧力を検出した時、前記音量制御手段は、前記圧力センサが計測した圧力と前記初期値との差が大きくなると、音量が大きくなるように前記受話音量を制御し、前記距離センサが、予め設定した当該距離センサの初期値以上の距離を検出した時、前記音量制御手段は、前記距離センサが計測した距離と前記距離センサの初期値との差が大きくなると、音量が小さくなるように前記受話音量を制御することを特徴とするものであり、
叉、第２態様は、
前記距離センサが計測した距離と前記距離センサの初期値との差に応じて、前記受話器の周波数特性を制御する周波数特性制御手段を設けたことを特徴とするものであり、
叉、第３態様は、
前記圧力センサの初期値及び前記距離センサの初期値を、それぞれ設定するための初期値設定手段が設けられていることを特徴とするものである。
【０００６】
【発明の実施の形態】
本発明に係わる電話機の自動音量調整装置は、
受話器へ耳を押しつける際の圧力を測定する圧力センサと、前記受話器から耳を遠ざけた際の前記受話器と耳間の距離を計測するための距離センサと、前記圧力センサが計測した圧力データと前記距離センサが計測した距離データとに基づき前記受話器の受話音量を制御する音量制御手段とで構成したことを特徴とするものである。
【０００７】
【実施例】
以下に、本発明に係わる電話機の自動音量調整装置の具体例を図面を参照しながら詳細に説明する。
（第１の具体例）
図１は、本発明に係わる電話機の構造を示す図、図２は、本発明の自動音量調整装置の構成を示すブロック図、図３及び図４は、本発明の自動音量調整装置の動作を説明するフローチャートであって、これらの図には、
受話器６へ耳を押しつける際の圧力を測定する圧力センサ４と、前記受話器６から耳を遠ざけた際の前記受話器６と耳間の距離を計測するための距離センサ５と、前記圧力センサ４が計測した圧力データと前記距離センサ５が計測した距離データとに基づき前記受話器６の受話音量を制御する音量制御手段２７とで構成したことを特徴とする電話機の自動音量調整装置が示され、
更に、前記圧力センサ４が、予め設定した初期値以上の圧力を検出した時、前記音量制御手段２７は、前記圧力センサ４が計測した圧力と前記初期値との差に応じて音量が大きくなるように前記受話音量を制御し、前記距離センサ５が、予め設定した初期値以上の距離を検出した時、前記音量制御手段２７は、前記距離センサ５が計測した距離と前記初期値との差に応じて音量が小さくなるように前記受話音量を制御することを特徴とする電話機の自動音量調整装置が示されて、更に、圧力検出用の初期値及び前記距離検出用の初期値を、それぞれ設定するための初期値設定手段（ステップ４）が設けられていることを特徴とする電話機の自動音量調整装置が示されている。
【０００８】
以下に、本発明の第１に具体例を更に詳細に説明する。
【０００９】
図１は、携帯電話機の分解斜視図である。
【００１０】
図１において、１は、携帯電話機のフロント筐体、２は、フロント筐体１と組み合わせるリア筐体、３は、フロント筐体１とリア筐体２とからなる筐体内に格納される装置基板、４は、装置基板３上又はフロント筐体１に設けられ、受話器に耳を押しつけた際の圧力を検出するための圧力センサ、５は、装置基板３上又はフロント筐体１に設けられ、受話器と耳との距離を検出するための赤外線を用いた距離センサ、６は、装置基板３上又はフロント筐体１に組み付けられているレシーバ又は受話器、７は、フロント筐体１に組み込まれ、装置基板３を作動させるキーボード等の操作部、８は、装置基板３上に組み付けたディスプレイ等の表示部、９は、装置基板３上又はフロント筐体１に設けた送話用マイクロフォン、１０は、リア筐体２に組み付けたアンテナ、１１は、フロント筐体１設けた圧力センサ４用のカバー、１２は、カバー１１に設けた距離センサ５用の音孔、１３は、フロント筐体１の受話用音孔、１４は、フロント筐体１の送話用音孔である。
【００１１】
図２は、本発明の携帯電話機のブロック図である。
【００１２】
図２において、２１は、携帯電話機全体を制御するＣＰＵであり、ＣＰＵ２１は、通話に関連する種々の演算処理を行うと共に、着信音・音声等の音量を切り替え指示等の処理を行う。操作部７は、ＣＰＵ２１に接続されており、発呼、通話開始・終了時のキー入力、機能設定をする際に、使用者が操作するものである。表示部８は、ＣＰＵ２１に接続されており、機能設定時の選択画面、機能の設定状態などを表示する。圧力・距離検出回路２２は、ＣＰＵ２１及び圧力センサ４、距離センサ５にそれぞれ接続されており、圧力センサ４、距離センサ５で検出した圧力データ、距離データをＣＰＵ２１に通知する。
【００１３】
無線部２３は、ＣＰＵ２１と接続されており、図中では省略した基地局との通信を行う。アンテナ１０は、無線部２３に接続されている。ＤＳＰ２４は、ＣＰＵ２１と無線部２３とに接続されており、受信信号特性及び基地局等との無線回路接続、通話チャネル切替、無線部２３とレシーバ６及びマイクロフォン９間での音声信号処理等の処理を行う。
【００１４】
メモリ２５は、ＣＰＵ２１とＤＳＰ２４とに接続されており、着信音に使用するメロディーデータやＣＰＵ２１での演算結果等の処理データや種々の機能設定データを格納する。Ａ／Ｄ・Ｄ／Ａコンバータ２６は、ＤＳＰ２４に接続されており、ＤＳＰ２４から出力された音声・音楽のデジタル信号をアナログ信号に変換を行う。音量切替制御部２７は、ＣＰＵ２１に接続されており、ＣＰＵ２１から出力される制御信号に従い、レシーバ６の音量切替制御を行う。従って、音量切替制御部２７は、Ａ／Ｄ・Ｄ／Ａコンバータ２６から出力されたアナログ信号の音量制御を行い、制御された音量の音声を受話用アンプ２８を介して、レシーバ６に出力するように構成されている。
【００１５】
次に、図３、図４を参照して、本発明の動作を説明する。
【００１６】
図３は、本発明の自動音量調整機能を設定をするためのフローチャートである。
【００１７】
ステップ1の待ち受け状態にある携帯電話機の受話音量（レシーバ６の出力音量）は、予め設定してあるものとする。ステップ２で、操作部７の特定キーを押して、本発明の自動受話音量調整機能を設定するか否かを選択する。自動受話音量調整機能を設定しない場合（オフの場合）、ステップ６の待ち受け状態とする。
【００１８】
ステップ２で、自動受話音量調整機能を設定する場合（オンの場合）は、ＣＰＵ２１は、自動受話音量調整機能が設定されたことを示す「自動受話音量調整機能オン」データをメモリ２５に格納する。ステップ３では、距離・圧力データの初期値の有無（初期値からの変化量により音量が変化するので、初期値設定が必要）を判定し、初期値が無い場合は、ステップ４で操作部７の特定キーを押して、圧力データ及び距離データの初期値をメモリ２５に格納するように指示する。初期値がある場合は、ステップ５へ分岐し、レシーバ６使用時に、ＤＳＰ２４で信号処理され、受話音声がレシーバ６から出力される際、圧力・距離検出回路２２を介して、圧力センサ４及び距離センサ５が起動されるように指示を行い、ステップ６の待ち受け状態にする。
【００１９】
次に、通話時の携帯電話機の動作を図４のフローチャートを用いて説明する。
【００２０】
携帯電話機が待ち受け状態（図３のステップ６）から、通話状態になる（ステップ２１）になると、ＣＰＵ２１は、自動受話音量調整機能が動作状態であるか否かを、メモリ２５に格納したデータに基づき判定する（ステップ２２）。判定の結果、「音量調整機能オフ」のときは、予め設定されている受話音量で通話を開始する（ステップ２３）。また、ステップ２２の判定で、「音量調整機能オン」の時は、圧力センサ４と距離センサ５とが共に起動し、予め設定されている圧力センサ４の初期値及び距離センサ５の初期値に基づいた受話音量で通話を行う（ステップ２４）。なお、この状態では、初期値からの圧力・距離の変化量に基づく音量データを予め設定してあるものとする。
【００２１】
ステップ２５の通話中に、受話音量が小さく、レシーバ６に耳を強く押し当てていくと、圧力センサ４が、初期値からの圧力上昇を検出し（ステップ２６）、圧力・距離検出回路２２を経由して、ＣＰＵ２１が、音量切替制御部２７に受話音量を大きく制御するように指示を行う。受話音量が大きくなり、強く押し当てるのをやめたところで受話音量は固定される（ステップ２７）。
【００２２】
又、受話音量が大きいとき（ステップ２８）、レシーバ６を耳から遠ざけていくと、距離センサ５がその距離を検出し（ステップ２９）、圧力・距離検出回路２２を介して、ＣＰＵ２１が、音量切替制御部２７に受話音量を小さくなるように制御指示を行い、その結果、受話音量が小さくなり、遠ざけるのをやめたところで受話音量は固定される（ステップ３０）。
【００２３】
又、ステップ２５で受話音量が小さくなく（耳を強く押し当てる事をしない）、また、ステップ２８で受話音量が大きくない（耳を遠ざける事をしない）場合には、予め設定された受話音量のままで通話を行うことが出来るようになっている。
【００２４】
通話が終わり、操作部７の終話キーが押されると（ステップ３１）、最初の待ち受け状態になる。
（第２の具体例）
図５は、本発明の第２の具体例を示すブロック図である。
【００２５】
耳から受話部の距離が離れると、レシーバの特性上低域音量が劣化する傾向にある。そこで、圧力センサ４と距離センサ５とを用いると共に、レシーバ６の周波数特性を制御するフィルタ２９を受話アンプ２８前に設け、受話器と耳との距離が離れていくに従い、低域特性を強調するフィルタに切り替わるような制御を行い、耳が受話器から離れるに従い、低域特性を強調し、受話器から耳が離れた状態でも、音量、音質が共に変化しないように制御することも可能である。
【００２６】
【発明の効果】
本発明に係わる電話機の自動音量調整装置は、上述のように構成したので、従来、スイッチやボタンを押す・まわす等により調整していた音量を、受話部に耳を押し当てることにより、また、受話部から耳を離すことにより、受話音量の自動的な調整が可能になり、最適な音量での通話が可能となる。
【００２７】
また、予め使用者の受話器と耳との距離やその圧力を記憶することで、使用者に応じた音量調整が可能となる等、本発明の自動音量調整装置を用いることで、快適な通話が可能になる。
【図面の簡単な説明】
【図１】本発明に係わる電話機の分解斜視図である。
【図２】本発明に係わる電話機の自動音量調整装置の第１の具体例のブロック図である。
【図３】本発明の動作を示すフローチャートである。
【図４】本発明の動作を示すフローチャートである。
【図５】本発明の第２の具体例のブロック図である。
【符号の説明】
１  フロント筐体
２  リア筐体
３  装置基板
４  圧力センサ
５  距離センサ
６  レシーバ
７  操作部
８  表示部
９  送話用マイクロフォン
１０  アンテナ
１１  圧力センサのカバー
１２  距離センサ用の音孔
１３  受話用音孔
１４  送話用音孔
【図１】
0003699018.tif 000002
【図２】
0003699018.tif 000003
【図３】
0003699018.tif 000004
【図４】
0003699018.tif 000005
【図５】
0003699018.tif 000006